(57)【要約】【課題】ＬＥＤ素子を利用したＬＥＤ照明装置であって、既存の白熱照明装置の取付器具に装着可能であるとともに、点灯回路の設置によって光の均一性が妨げられることを抑制できるＬＥＤ照明装置を提供する。【解決手段】ＬＥＤ照明装置は、少なくとも複数のＬＥＤ素子が直列に接続されて実装されたＬＥＤ基板と、ＬＥＤ基板が内部に収容された管体と、管体の、軸方向に係る両端面を除く所定の側面に設けられた口金と、複数のＬＥＤ素子と電気的に接続された点灯回路と、を有する。点灯回路は、口金の内部に設けられている。【選択図】        図３
2017195113.tif 000002
【特許請求の範囲】
【請求項１】
少なくとも複数のＬＥＤ素子が直列に接続されて実装されたＬＥＤ基板と、
前記ＬＥＤ基板が内部に収容された管体と、
前記管体の、軸方向に係る両端面を除く所定の側面に設けられた口金と、
複数の前記ＬＥＤ素子と電気的に接続された点灯回路と、を有し、
前記点灯回路は、前記口金の内部に設けられていることを特徴とするＬＥＤ照明装置。
【請求項２】
前記ＬＥＤ基板に実装された、第一配線及び第二配線を有し、
前記口金は、第一口金と、前記第一口金に対して前記管体の軸方向に離間して配置された第二口金とを有し、
前記点灯回路は、
前記第一口金の内部に設けられ、少なくとも２つの入力端子を含む第一点灯回路と、
前記第二口金の内部に設けられ、少なくとも２つの入力端子を含む第二点灯回路とを有し、
前記第一点灯回路の第一入力端子と、前記第二点灯回路の第一入力端子との間に、外部交流電源が接続される構成であり、
前記第一点灯回路は、
前記第一入力端子と、前記第二点灯回路の前記第一入力端子に前記第一配線を介して接続された第二入力端子との間の交流電圧を直流電圧に変換する変換部、及び、
前記変換部で生成された直流電圧を出力する出力端子を有し、
前記第二点灯回路は、
前記第一入力端子と、前記第一点灯回路の前記第一入力端子に前記第二配線を介して接続された第二入力端子との間の交流電圧を直流電圧に変換する変換部、及び、
前記変換部で生成された直流電圧を出力する出力端子を有することを特徴とする請求項１に記載のＬＥＤ照明装置。
【請求項３】
複数の前記ＬＥＤ素子が直列に接続されて構成された第一ＬＥＤ素子群と、
前記第一ＬＥＤ素子群に対して前記管体の軸方向に離間した状態で、複数の前記ＬＥＤ素子が直列に接続されて構成された第二ＬＥＤ素子群とを有し、
前記第一ＬＥＤ素子群は、前記第一点灯回路の出力端子から出力される直流電圧が印加され、
前記第二ＬＥＤ素子群は、前記第二点灯回路の出力端子から出力される直流電圧が印加されることを特徴とする請求項２に記載のＬＥＤ照明装置。
【請求項４】
前記第一ＬＥＤ素子群及び前記第二ＬＥＤ素子群のうち少なくとも一方は、直列に接続された複数の前記ＬＥＤ素子が電気的に並列に接続されて構成されていることを特徴とする請求項３に記載のＬＥＤ照明装置。
【請求項５】
前記第一配線及び前記第二配線は、前記ＬＥＤ基板の面のうち、ＬＥＤ素子が実装されている側とは反対側の面に実装されていることを特徴とする請求項２〜４のいずれかに記載のＬＥＤ照明装置。
【請求項６】
前記ＬＥＤ基板と前記管体の軸心との間の、前記管体の周方向に係る離間距離が、
前記ＬＥＤ基板と前記管体の外縁部との間の、前記管体の周方向に係る離間距離の２倍以上であることを特徴とする請求項１〜５のいずれかに記載のＬＥＤ照明装置。
【発明の詳細な説明】
【技術分野】
【０００１】
本発明はＬＥＤ素子を利用したＬＥＤ照明装置に関し、特に、既存のソケット等の取付器具に装着することができるＬＥＤ照明装置に関する。
【背景技術】
【０００２】
従来、フィラメントを用いた白熱灯の分野において、円筒形状の管体の側面に口金を有し、当該口金がソケットに装着されて外部電源から電力を供給されることにより光を放つ白熱照明装置がある。このような白熱照明装置によれば、管体の軸方向に係る両端面に口金が位置せず、軸方向の全長にわたって均一に光を放つことができる。そのため、当該白熱照明装置は、一例として、管体が覆われることなく剥き出しの状態でソケットに取り付けられて使用されていた。
【０００３】
ところで近年、消費電力の低減及び点灯寿命の観点より、白熱灯や蛍光灯から、ＬＥＤ素子を利用したＬＥＤ照明装置への置換が進められている（特許文献１及び特許文献２参照）。
【先行技術文献】
【特許文献】
【０００４】
【特許文献１】実開平６−５４１０３号公報
【特許文献２】特開２０１１−２８９４６号公報
【発明の概要】
【発明が解決しようとする課題】
【０００５】
そのため、上記のような白熱照明装置においても、白熱灯に代わりＬＥＤ素子を利用することが望まれる。特に、従来の白熱照明装置が装着されていた既存のソケット等の取付器具に、そのまま装着することができるＬＥＤ照明装置の実現が望まれる。
【０００６】
ところが、従来の白熱照明装置は、外部電源である交流電源からの電力により駆動する一方、ＬＥＤ照明装置は、交流電源によっては駆動せず、直流電源からの電力により駆動する。そのため、従来の白熱照明装置をＬＥＤ照明装置に置換するためには、ＬＥＤ素子の点灯に適した電力を生成する点灯回路を新たに設ける必要がある。
【０００７】
しかしながら、上記の点灯回路の設置場所によっては、ＬＥＤ照明装置から放たれる光が遮られ、光の均一性が損なわれてしまうという問題がある。従って、従来の白熱照明装置をＬＥＤ照明装置に置換するにあたり、点灯回路を適切に設置することが求められる。
【０００８】
本発明は、ＬＥＤ素子を利用したＬＥＤ照明装置であって、既存の白熱照明装置の取付器具に装着可能であるとともに、点灯回路の設置によって光の均一性が妨げられることを抑制できるＬＥＤ照明装置の提供を目的とする。
【課題を解決するための手段】
【０００９】
本発明のＬＥＤ照明装置は、
少なくとも複数のＬＥＤ素子が直列に接続されて実装されたＬＥＤ基板と、
前記ＬＥＤ基板が内部に収容された管体と、
前記管体の、軸方向に係る両端面を除く所定の側面に設けられた口金と、
複数の前記ＬＥＤ素子と電気的に接続された点灯回路と、を有し、
前記点灯回路は、前記口金の内部に設けられていることを特徴とする。
【００１０】
上記構成によれば、ＬＥＤ素子を点灯するための点灯回路が口金の内部に設けられる。当該口金は、従来の白熱照明装置から元来存在する構成である。従って、口金を管体の側面に有する従来の白熱照明装置をＬＥＤ照明装置に置換するにあたり、点灯回路によって放射される光の均一性が妨げられることを抑制できる。
【００１１】
上記構成において、
前記ＬＥＤ基板に実装された、第一配線及び第二配線を有し、
前記口金は、第一口金と、前記第一口金に対して前記管体の軸方向に離間して配置された第二口金とを有し、
前記点灯回路は、
前記第一口金の内部に設けられ、少なくとも２つの入力端子を含む第一点灯回路と、
前記第二口金の内部に設けられ、少なくとも２つの入力端子を含む第二点灯回路とを有し、
前記第一点灯回路の第一入力端子と、前記第二点灯回路の第一入力端子との間に、外部交流電源が接続される構成であり、
前記第一点灯回路は、
前記第一入力端子と、前記第二点灯回路の前記第一入力端子に前記第一配線を介して接続された第二入力端子との間の交流電圧を直流電圧に変換する変換部、及び、
前記変換部で生成された直流電圧を出力する出力端子を有し、
前記第二点灯回路は、
前記第一入力端子と、前記第一点灯回路の前記第一入力端子に前記第二配線を介して接続された第二入力端子との間の交流電圧を直流電圧に変換する変換部、及び、
前記変換部で生成された直流電圧を出力する出力端子を有するものとしても構わない。
【００１２】
上記構成において、
複数の前記ＬＥＤ素子が直列に接続されて構成された第一ＬＥＤ素子群と、
前記第一ＬＥＤ素子群に対して前記管体の軸方向に離間した状態で、複数の前記ＬＥＤ素子が直列に接続されて構成された第二ＬＥＤ素子群とを有し、
前記第一ＬＥＤ素子群は、前記第一点灯回路の前記出力端子から出力される直流電圧が印加され、
前記第二ＬＥＤ素子群は、前記第二点灯回路の前記出力端子から出力される直流電圧が印加されるものとしても構わない。
【００１３】
上記構成によれば、複数のＬＥＤ素子は、二つの点灯回路によって点灯される。これにより、多数のＬＥＤ素子を二つの点灯回路に分けて点灯させることが可能となるため、ＬＥＤ基板に多数のＬＥＤ素子を配置することができる。これにより、軸方向に長い管体を有するＬＥＤ照明装置を提供できる。
【００１４】
上記構成において、
前記第一ＬＥＤ素子群及び前記第二ＬＥＤ素子群のうち少なくとも一方は、直列に接続された複数の前記ＬＥＤ素子が電気的に並列に接続されて構成されているものとしても構わない。
【００１５】
上記構成によれば、第一ＬＥＤ素子群及び第二ＬＥＤ素子群のうち少なくとも一方が、直列に接続された複数のＬＥＤ素子が電気的に並列に接続されて構成される。これにより、あるＬＥＤ素子に損傷等の不具合が生じ、当該ＬＥＤ素子に直列に接続されたＬＥＤ素子までもが点灯しなくなった場合でも、当該ＬＥＤ素子に対して電気的に並列に接続されたＬＥＤ素子の点灯を保持できる。即ち、ＬＥＤ照明装置から射出される光の均一性が妨げられることを抑制できる
【００１６】
上記構成において、
前記第一配線及び前記第二配線は、前記ＬＥＤ基板の面のうち、前記ＬＥＤ素子が実装されている側とは反対側の面に実装されているものとしても構わない。
【００１７】
上記構成によれば、第一配線及び第二配線がＬＥＤ基板の裏面に実装されることにより、管体内における空間が第一配線及び第二配線によって占められるといった事態を抑制できる。これにより、ＬＥＤ基板を管体の外縁部付近に配置することが可能となるため、ＬＥＤ基板の裏面側における、点灯されない領域を削減できる。
【００１８】
上記構成において、
前記ＬＥＤ基板と前記管体の軸心との間の、前記管体の周方向に係る離間距離が、
前記ＬＥＤ基板と前記管体の外縁部との間の、前記管体の周方向に係る離間距離の２倍以上であるものとしても構わない。
【００１９】
上記構成によれば、ＬＥＤ基板が管体の外縁部付近に配置されるため、ＬＥＤ基板の裏面側における、点灯されない領域を削減できる。
【発明の効果】
【００２０】
本発明のＬＥＤ照明装置によれば、既存の白熱照明装置の取付器具に装着可能であるとともに、点灯回路の設置によって光の均一性が妨げられることを抑制できる。
【図面の簡単な説明】
【００２１】
【図１Ａ】実施形態のＬＥＤ照明装置の模式的な平面図である。
【図１Ｂ】実施形態の第一口金及び第二口金の模式的な斜視図である。
【図２Ａ】実施形態のＬＥＤ照明装置を図１ＡのＡ−Ａ線で切断したときの模式的な断面図である。
【図２Ｂ】実施形態のＬＥＤ基板の主面を示す模式図である。
【図２Ｃ】実施形態のＬＥＤ基板の裏面を示す模式図である。
【図３】実施形態のＬＥＤ照明装置の回路構成を模式的に示した回路ブロック図である。
【図４】実施形態の第一点灯回路及び第一ＬＥＤ素子群を模式的に示した回路ブロック図である。
【図５】別実施形態のＬＥＤ照明装置の回路構成を模式的に示した回路ブロック図である。
【発明を実施するための形態】
【００２２】
実施形態のＬＥＤ照明装置につき、図面を参照して説明する。なお、各図において図面の寸法比と実際の寸法比は必ずしも一致しない。
【００２３】
［構成］
実施形態のＬＥＤ照明装置の構成について、図１及び図２を参照して説明する。
【００２４】
図１ＡにＬＥＤ照明装置１の模式的な平面図を示す。図１Ａに示すように、ＬＥＤ照明装置１は、管体３、第一口金５、及び第二口金７を有する。なお、図１Ａにおいて、管体３の軸方向（即ち、紙面左右方向）をｘ方向、周方向（即ち、紙面上下方向）をｙ方向、ｘ方向及びｙ方向に直交する方向をｚ方向としている。
【００２５】
管体３は、透光性を有する材料からなり、円筒形状を有する。管体３の内部には、ＬＥＤ素子が実装されたＬＥＤ基板が収容されている。ＬＥＤ素子及びＬＥＤ基板については後述する。
【００２６】
第一口金５及び第二口金７は、管体３の側面３Ａに設けられている。即ち、第一口金５及び第二口金７は、管体３の、軸方向（即ち、ｘ方向）に係る両端面（３Ｂ、３Ｃ）を除く側面３Ａに設けられている。図１Ａでは、一例として、口金（５，７）が管体３の両端面（３Ｂ、３Ｃ）の近傍の側面３Ａに設けられている構成が図示されている。
【００２７】
第一口金５及び第二口金７は、既存の白熱照明装置が取り付けられるソケット等に装着され、外部交流電源（図示略）に接続される。図１Ｂに、第一口金５及び第二口金７の模式的な斜視図を示す。なお、図１Ｂでは、第一口金５及び第二口金７が既存のソケットに接触する面を上面にした状態を示している。図１Ｂに示すように、第一口金５及び第二口金７は、ｙ方向に突出した金属製の金具９を有する。当該金具９が図示しないソケット内の金具に接触することにより、外部交流電源（図示略）からＬＥＤ照明装置１に電力が供給される。
【００２８】
第一口金５及び第二口金７は、内部に、ＬＥＤ素子を点灯するための点灯回路を収容する。点灯回路については後述する。
【００２９】
［ＬＥＤ基板］
続いて、図２を参照してＬＥＤ基板について説明する。
【００３０】
図２Ａは、ＬＥＤ照明装置１を図１ＡのＡ−Ａ線で切断したときの模式的な断面図である。ＬＥＤ基板１１は、ＬＥＤ素子１３が実装される主面１１Ａ、及び、主面１１Ａと反対側の裏面１１Ｂを有する。
【００３１】
図２Ａに示すように、ＬＥＤ基板１１は、主面１１Ａ及び裏面１１Ｂがｙ方向に直交するように管体３内に収容される。より具体的には、ＬＥＤ基板１１は、裏面１１Ｂがｙ方向側を向くとともに、主面１１Ａが−ｙ方向側を向くように、管体３内に収容される。
【００３２】
図２Ａに示すように、ＬＥＤ基板１１は、管体３の外縁部３１付近に配置される。一例として、ＬＥＤ基板１１と管体３の軸心Ｏとの間の離間距離ｄ１は、８．７ｍｍであり、ＬＥＤ基板１１と管体３の外縁部３１との間の離間距離ｄ２は、４．３ｍｍである。即ち、本実施形態では、離間距離ｄ１は、離間距離ｄ２の約２倍である。なお、他の実施形態では、離間距離ｄ１が離間距離ｄ２の２倍以上となるようにＬＥＤ基板１１を配置しても構わない。
【００３３】
なお、図２Ａに示すように、ＬＥＤ基板１１は、管体３に設けられた鍔３３によって外縁部３１付近に固定される。鍔３３は、管体３と同様に、透光性を有する材料からなる。これにより、ＬＥＤ素子１３から射出された光の進行を遮ることなく、ＬＥＤ基板１１を管体３に固定することが可能となる。
【００３４】
また、図２Ａに示すように、ＬＥＤ基板１１は、裏面１１Ｂが管体３の外縁部３１から離間するように固定される。即ち、ＬＥＤ基板１１の裏面１１Ｂと管体３の外縁部３１との間には空間が形成されている。これにより、ＬＥＤ素子１３から射出された光が鍔３３を介して当該空間に回り込むことが可能となり、ＬＥＤ基板１１の裏面１１Ｂ側に影が生じることを抑制できる。即ち、管体３の全周に渡って光を照射することが可能なＬＥＤ照明装置１を実現できる。
【００３５】
図２Ｂは、ＬＥＤ基板１１の主面１１Ａを示す模式図であり、図２Ｃは、当該ＬＥＤ基板１１の裏面１１Ｂを示す模式図である。
【００３６】
なお、ＬＥＤ基板１１は、ｘ方向に、管体３と同等若しくは管体３よりも短い長さを有する。一例として、管体３は、ｘ方向に９９４ｍｍの長さを有し、ＬＥＤ基板１１はｘ方向に９８４ｍｍの長さを有する。
【００３７】
図２Ｂを参照して、ＬＥＤ基板１１の主面１１Ａについて説明する。上述のように、ＬＥＤ基板１１の主面１１Ａには、複数のＬＥＤ素子１３が実装されている。なお、図２Ｂでは便宜的に、主面１１Ａに実装されるＬＥＤ素子１３のうち、一部のＬＥＤ素子１３のみを図示している。ＬＥＤ素子１３は、一例として、色温度が２３００Ｋの光を発する。
【００３８】
ＬＥＤ素子１３は、第一ＬＥＤ素子群１３ａ及び第二ＬＥＤ素子群１３ｂを有する。本実施形態では、第一ＬＥＤ素子群１３ａ及び第二ＬＥＤ素子群１３ｂのそれぞれは、直列接続された４０個のＬＥＤ素子１３が２組並列接続されてなる。即ち、本実施形態では、ＬＥＤ基板１１の主面１１Ａには、１６０個（４０×２×２）のＬＥＤ素子１３が実装されている。なお、図２Ｂに示すように、第一ＬＥＤ素子群１３ａ及び第二ＬＥＤ素子群１３ｂにおいて、各ＬＥＤ素子１３は、一列に並び、また、一つ置きに（即ち、ｘ方向に隣り合うＬＥＤ素子１３を飛ばして）電気的に直列に接続されている。なお、詳細は後述するが、第一ＬＥＤ素子群１３ａ及び第二ＬＥＤ素子群１３ｂは、相互には電気的に接続されておらず、電気的に独立している。
【００３９】
図２Ｃを参照して、ＬＥＤ基板の裏面１１Ｂについて説明する。図２Ｃに示すように、ＬＥＤ基板１１の裏面１１Ｂには、第一配線１５及び第二配線１７が形成されている。第一配線１５及び第二配線１７は、一例として、Ｃｕ（銅）などの金属材料を用いて形成される金属配線である。第一配線１５及び第二配線１７の詳細は後述する。
【００４０】
［点灯回路］
続いて、図３を参照して点灯回路について説明するとともに、ＬＥＤ照明装置１の点灯原理について説明する。図３は、ＬＥＤ照明装置１の回路構成を模式的に示した回路ブロック図である。
【００４１】
上述のように、ＬＥＤ照明装置１は、第一口金５及び第二口金７（図１Ａ参照）の内部に、点灯回路を収納する。具体的には、第一口金５は、第一ＬＥＤ素子群１３ａを点灯するため第一点灯回路１９を収納し、第二口金７は、第二ＬＥＤ素子群１３ｂを点灯するための第二点灯回路２１を収納する。
【００４２】
第一点灯回路１９は、第一入力端子１９１、第二入力端子１９２、変換部１９３、及び、出力端子（１９５、１９６）を有する。第二点灯回路２１は、第一入力端子２１１、第二入力端子２１２、変換部２１３、及び、出力端子（２１５、２１６）を有する。
【００４３】
外部交流電源２３は、一方の端子が第一点灯回路１９の第一入力端子１９１に接続され、他方の端子が第二点灯回路２１の第一入力端子２１１に接続される。第二点灯回路２１の第一入力端子２１１は、ＬＥＤ基板１１の裏面１１Ｂに形成された第一配線１５を介して、第一点灯回路１９の第二入力端子１９２に接続される。つまり、第一点灯回路１９において、第一入力端子１９１及び第二入力端子１９２の間には、外部交流電源２３による交流電圧（一例として、一般家庭用のＡＣ１００Ｖ）が印加される。
【００４４】
同様に、第一点灯回路１９の第一入力端子１９１は、ＬＥＤ基板１１の裏面１１Ｂに形成された第二配線１７を介して、第二点灯回路２１の第二入力端子２１２に接続される。つまり、第二点灯回路２１においても、第一入力端子２１１及び第二入力端子２１２の間には、外部交流電源２３による交流電圧（一例として、一般家庭用のＡＣ１００Ｖ）が印加される。つまり、第一点灯回路１９の第一入力端子１９１と、第二点灯回路２１の第一入力端子２１１との間に印加された交流電圧が、第一点灯回路１９及び第二点灯回路２１のそれぞれに供給される構成となっている。
【００４５】
第一点灯回路１９が備える変換部１９３は、第一入力端子１９１及び第二入力端子１９２の間の交流電圧を、直流電圧に変換する。同様に、第二点灯回路２１が備える変換部２１３は、第一入力端子２１１及び第二入力端子２１２の間の交流電圧を、直流電圧に変換する。変換部１９３及び変換部２１３の詳細については後述する。
【００４６】
第一点灯回路１９が備える出力端子（１９５、１９６）は、変換部１９３により生成された直流電圧を第一ＬＥＤ素子群１３ａに印加し、これによって第一ＬＥＤ素子群１３ａに対して直流電流を供給する。第一ＬＥＤ素子群１３ａは、第一点灯回路１９から供給される直流電流によって点灯する。同様に、第二点灯回路２１が備える出力端子（２１５、２１６）は、変換部２１３により生成された直流電圧を第二ＬＥＤ素子群１３ｂに印加し、これによって第二ＬＥＤ素子群１３ｂに対して直流電流を供給する。第二ＬＥＤ素子群１３ｂは、第二点灯回路２１から供給される直流電流によって点灯する。
【００４７】
［ＬＥＤ素子１３の直列数］
続いて、図４を参照して、第一ＬＥＤ素子群１３ａにおいて、ＬＥＤ素子１３が直列接続される個数ｎについて説明する。なお、以下では、第一ＬＥＤ素子群１３ａにおける上記の個数ｎについて説明するが、第二ＬＥＤ素子群１３ｂにおいても同様である。
【００４８】
図４は、第一点灯回路１９、及び、第一点灯回路１９に接続される第一ＬＥＤ素子群１３ａを模式的に示した回路ブロック図である。上述のように、第一点灯回路１９は、第一入力端子１９１、第二入力端子１９２、変換部１９３、及び出力端子（１９５、１９６）を有する。
【００４９】
変換部１９３は、整流回路１９７、平滑回路１９８、及び定電流回路１９９を有する。
【００５０】
整流回路１９７は、第一入力端子１９１及び第二入力端子１９２の間に印加された交流電圧を全波整流する回路であり、一例として、４個のダイオードからなるダイオードブリッジを含む。平滑回路１９８は、整流回路１９７により整流後の電圧を平滑化する回路であり、一例としてコンデンサを含む。定電流回路１９９は、第一ＬＥＤ素子群１３に一定の電流を供給するための回路であり、一例として、３端子レギュレータ（図示略）及び抵抗（図示略）を含んでなる。
【００５１】
ここで、定電流回路１９９は、当該定電流回路１９９の入出力端子間の電位差が所定の範囲に属するように定められている。具体的には、定電流回路１９９において、当該定電流回路１９９に含まれる３端子レギュレータに応じて、上記の入出力端子間の電位差（後述のＶ2）が定められている。一例として、本実施形態では、上記の入出力端子間の電位差は、３Ｖ以上、かつ、４０Ｖ以下と規定されている。
【００５２】
図４に示すように、整流回路１９７により全波整流された後の出力電圧をＶ1、定電流回路１９９における入出力端子間の電位差をＶ2、ＬＥＤ素子１３の順方向電圧をＶFとしたとき、ＬＥＤ素子１３が直列接続される個数ｎは、以下の式（１）を満たしている。
Ｖ2＋ｎ・ＶF＝Ｖ1  ・・・式（１）
【００５３】
即ち、第一ＬＥＤ素子群１３ａにおいてＬＥＤ素子１３が直列接続される個数ｎは、以下の式（２）を満たしている。
ｎ＝（Ｖ1−Ｖ2）／ＶF ・・・式（２）
【００５４】
ここで、上述のように、定電流回路１９９の入出力端子間の電位差Ｖ2には、最大値（一例として４０Ｖ）及び最小値（一例として３Ｖ）が規定されている。Ｖ2の最大値をＶ2max、Ｖ2の最小値をＶ2minとすると、上記の個数ｎは、以下の式（３）を満たす。
（Ｖ1−Ｖ2max）／ＶF≦ｎ≦（Ｖ1−Ｖ2min）／ＶF ・・・式（３）
【００５５】
一例として、整流回路１９７の出力電圧Ｖ1が１４１Ｖ、Ｖ2の最大値Ｖ2maxが４０Ｖ、Ｖ2の最小値Ｖ2minが３Ｖ、ＬＥＤ素子１３の順方向電圧ＶFが２．９Ｖのとき、上記の式（３）は、（１４１−４０）／２．９≦ｎ≦（１４１−３）／２．９となる。即ち、上記の式（３）は、少数第二位を四捨五入すると、３４．８≦ｎ≦４７．６となる。従って、第一ＬＥＤ素子群１３ａにおいて、直列接続可能なＬＥＤ素子１３の個数ｎの最小値は３５個であり、最大値は４７個である。本実施形態では、当該個数ｎを、最小値の３５個よりも多く、また最大値の４７個よりも少ない、４０個としている。なお、当該個数ｎは、最小値の３５個から最大値の４７個までの範囲内で適宜変更可能である。
【００５６】
［作用効果］
続いて、本実施形態のＬＥＤ照明装置１による作用効果について説明する。
【００５７】
本実施形態のＬＥＤ照明装置１によれば、第一口金５及び第二口金７が、管体３の側面３Ａに設けられる。これにより、従来の白熱照明装置と同様の位置に、第一口金５及び第二口金７を設けることで、従来の白熱照明装置をＬＥＤ照明装置１に置換することが可能となる。より具体的には、従来の白熱照明装置からＬＥＤ照明装置１に置換するにあたり、取付器具等を新たに要さず、既存のソケット等にＬＥＤ照明装置１をそのまま装着することができる。
【００５８】
さらに、本実施形態のＬＥＤ照明装置１によれば、ＬＥＤ素子１３の点灯に適した直流電圧を生成する第一点灯回路１９、第二点灯回路２１が、第一口金５、第二口金７の内部に収容される。これにより、第一点灯回路１９、第二点灯回路２１が、従来の白熱照明装置においても存在していた口金内に収容されるため、第一点灯回路１９、第二点灯回路２１によってＬＥＤ素子１３から放たれる光が遮られることを抑制できる。
【００５９】
より具体的には、本実施形態のＬＥＤ照明装置１によれば、管体３の端面３Ｂに第一点灯回路１９を設け、端面３Ｃに第二点灯回路２１を設けた場合に比べ、軸方向に均一な光を放射できる。また、第一点灯回路１９、及び、第二点灯回路２１を、管体３の内部（一例として、ＬＥＤ基板１１の裏面１１Ｂ）に設けた場合に比べ、ＬＥＤ基板１１を管体３の外縁部３１付近に配置でき、光が放射されない領域を削減できるため、おおよそ管体３の全周にわたって光を放射可能となる。
【００６０】
また、本実施形態のＬＥＤ照明装置１によれば、ＬＥＤ素子１３は、第一ＬＥＤ素子群１３ａ及び第二ＬＥＤ素子群１３ｂに分けられ、第一ＬＥＤ素子群１３ａは第一点灯回路１９によって点灯され、第二ＬＥＤ素子群１３ｂは第二点灯回路２１によって点灯される。このように、ＬＥＤ素子１３は２つの点灯回路（１９、２１）からの電力によって点灯される。これにより、ＬＥＤ基板１１に多数のＬＥＤ素子１３を実装することができるため、軸方向（即ち、ｘ方向）に長い管体３を有するＬＥＤ照明装置を実現できる。
【００６１】
また、本実施形態のＬＥＤ照明装置１によれば、ＬＥＤ基板１１の裏面１１Ｂに第一配線１５及び第二配線１７が形成される。これにより、例えば第一配線１５及び第二配線１７がＬＥＤ基板１１とは別体に構成される場合に比べ、ＬＥＤ基板１１を発光部３の外縁部３１に近付けて配置可能となるため、光が放射されない領域を削減できる。
【００６２】
また、本実施形態のＬＥＤ照明装置１によれば、第一ＬＥＤ素子群１３ａ及び第二ＬＥＤ素子群１３ｂにおいて、ＬＥＤ素子１３が直列接続される個数ｎが、上記の式（３）を満たすように決定される。仮に、個数ｎが上記の式（３）を満たさなかった場合、第一点灯回路１９、第二点灯回路２１は、昇圧回路や降圧回路を新たに設ける必要が生じる。
【００６３】
具体的には、上記の個数ｎが最大値を超えた場合、即ち、（Ｖ1−Ｖ2min）／ＶF＜ｎである場合、定電流回路１９９の入出力端子間の電位差Ｖ2は、最小値Ｖ2minを下回る。その結果、当該電圧Ｖ2を最小値Ｖ2minまで引き上げる昇圧回路を、第一点灯回路１９、第二点灯回路２１に設ける必要が生じる。
【００６４】
また、上記の個数ｎが最小値を下回った場合、即ち、ｎ＜（Ｖ1−Ｖ2max）／ＶFである場合、定電流回路１９９の入出力端子間の電位差Ｖ2は、最大値Ｖ2maxを超える。その結果、当該電圧Ｖ2を最大値Ｖ2maxまで引き下げる降圧回路を、第一点灯回路１９、第二点灯回路２１に設ける必要が生じる。
【００６５】
これに対し、本実施形態のＬＥＤ照明装置１によれば、個数ｎが、上記の式（３）を満たすように決定される。これにより、第一点灯回路１９、第二点灯回路２１に昇圧回路や降圧回路を新たに設ける必要がなく、第一点灯回路１９、第二点灯回路２１の小型化を実現できる。即ち、第一点灯回路１９、第二点灯回路２１を、第一口金５、第二口金７に容易に収納できる。
【００６６】
［別実施形態］
以下、別実施形態につき説明する。
【００６７】
〈１〉本実施形態のＬＥＤ照明装置１は、第一口金５及び第二口金７の二つの口金を管体３の側面３Ａに有するが、口金の個数はこれに限らない。例えば、管体３の側面３Ａに一つの口金が設けられた構成であっても構わない。この場合、一つの口金の内部に、一つの点灯回路を収納した構成であっても構わない。
【００６８】
以下、図５を参照して具体的に説明する。図５は、別実施形態のＬＥＤ照明装置の回路構成を模式的に示した回路ブロック図である。点灯回路３０は、一つの口金の内部に収納される。点灯回路３０は、第一入力端子３０１、第二入力端子３０２、変換部３０３、出力端子（３０５、３０６）を有してなる。第一入力端子３０１及び第二入力端子３０２は、外部交流電源２３に接続される。つまり、第一入力端子３０１及び第二入力端子３０２の間には、外部交流電源２３による交流電圧（一例として、一般家庭用のＡＣ１００Ｖ）が印加される。変換部３０３は、第一入力端子３０１及び第二入力端子３０２の間に印加された交流電圧を直流電圧に変換する。出力端子（３０５、３０６）は、変換部３０３により生成された直流電圧をＬＥＤ素子１３に印加し、これによってＬＥＤ素子１３に対して直流電流を供給する。
【００６９】
ＬＥＤ素子１３は、複数個（一例として４０個）、電気的に直列に接続されており、当該直列に接続されたＬＥＤ素子１３は、複数組（一例として４組）、電気的に並列に接続されている。ＬＥＤ素子１３は、点灯回路３０から供給された直流電流によって点灯する。
【００７０】
別実施形態のＬＥＤ照明装置によれば、既存の白熱照明装置が口金を一つ有する場合に、当該白熱照明装置に代わり、別実施形態のＬＥＤ照明装置を使用することが可能となる。また、ＬＥＤ素子１３を点灯するための点灯回路３０は、口金内に収容されるため、点灯回路３０によってＬＥＤ素子１３から放たれる光が遮られることを抑制できる。
【００７１】
以上、図５を参照してＬＥＤ照明装置が口金を一つ有する場合について説明したが、ＬＥＤ照明装置は、３個以上の口金を有しても構わない。より一般的には、ＬＥＤ照明装置には、従来の白熱照明装置と同じ個数、若しくは、それ以下の個数だけ口金が設けられていればよい。なお、ＬＥＤ照明装置が複数の口金を有する場合に、全ての口金に点灯回路が収納されていても構わないし、一部の口金のみに点灯回路が収納されていても構わない。
【００７２】
〈２〉本実施形態のＬＥＤ照明装置１において、第一配線１５及び第二配線１７は、ＬＥＤ基板１１の裏面１１Ｂに形成されるが、主面１１Ａに形成しても構わない。このような構成においても、既存の白熱照明装置をＬＥＤ照明装置にそのまま置換することができる。
【００７３】
〈３〉本実施形態のＬＥＤ照明装置１において、第一点灯回路１９及び第二点灯回路２１は、交流電圧を全波整流する整流回路１９７を有すると説明したが、整流回路１９７に代わり、交流電圧を半波整流する整流回路を有しても構わない。
【００７４】
〈４〉図３では、ＬＥＤ素子群１３ａ及びＬＥＤ素子群１３ｂにおいて、各素子群（１３ａ，１３ｂ）の双方に流れる電流が、それぞれ同じ向きになるように構成されている場合を図示している。しかし、これは一例であり、各素子群（１３ａ，１３ｂ）において、アノードとカソードの配置方向は任意である。例えば、各素子群（１３ａ，１３ｂ）の双方に流れる電流が、管体３の軸方向に係る端部から中央部に向けて相互に向かい合うように構成されていても構わない。また、各素子群（１３ａ，１３ｂ）の双方に流れる電流が、管体３の軸方向に係る中央部から端部に向けて相互に離れるように構成されていても構わない。
【００７５】
〈５〉図２Ｂでは、第一ＬＥＤ素子群１３ａ及び第二ＬＥＤ素子群１３ｂにおいて、各ＬＥＤ素子１３は、一列に並び、また、一つ置きに電気的に直列に接続されている場合を図示しているが、これ限らない。例えば、各素子群（１３ａ，１３ｂ）において、複数のＬＥＤ素子１３が電気的に直列に接続され、当該直列に接続されたＬＥＤ素子１３が、複数列に配置されていても構わない。
【符号の説明】
【００７６】
１      ：    ＬＥＤ照明装置
３      ：    管体
３Ａ      ：    側面
３Ｂ、３Ｃ      ：    端面
５      ：    第一口金
７      ：    第二口金
１１      ：    ＬＥＤ基板
１１Ａ      ：    主面
１１Ｂ      ：    裏面
１３      ：    ＬＥＤ素子
１３ａ      ：    第一ＬＥＤ素子群
１３ｂ      ：    第二ＬＥＤ素子群
１５      ：    第一配線
１７      ：    第二配線
１９      ：    第一点灯回路
１９１      ：    第一入力端子
１９２      ：    第二入力端子
１９３      ：    変換部
１９５、１９６  ：    出力端子
２１      ：    第二点灯回路
２１１      ：    第一入力端子
２１２      ：    第二入力端子
２１３      ：    変換部
２１５、２１６  ：    出力端子
２３      ：    外部交流電源
３０      ：    別実施形態の点灯回路
３０１      ：    別実施形態の第一入力端子
３０２      ：    別実施形態の第二入力端子
３０３      ：    別実施形態の変換部
３０５、３０６  ：    別実施形態の出力端子
【図１Ａ】
2017195113.tif 000003
【図１Ｂ】
2017195113.tif 000004
【図２Ａ】
2017195113.tif 000005
【図２Ｂ】
2017195113.tif 000006
【図２Ｃ】
2017195113.tif 000007
【図３】
2017195113.tif 000008
【図４】
2017195113.tif 000009
【図５】
2017195113.tif 000010